(57)【特許請求の範囲】
【請求項１】
基板に設けられている開口を開閉する閉鎖羽根を駆動する閉鎖レバーと、前記開口を開閉する開放羽根を駆動する開放レバーとを備え、
前記閉鎖レバーは第１閉鎖レバーと第２閉鎖レバーとからなり、
前記第２閉鎖レバーは前記第１閉鎖レバーとともに同軸に揺動自在に支持され、かつ前記第１閉鎖レバーに追従可能であり、
前記第２閉鎖レバーの先端部に前記閉鎖羽根を駆動する駆動部が設けてあり、
前記第２閉鎖レバーは、揺動中心部である中心孔部を中心にして上方に延伸する、第２閉鎖レバーのパイプ部を前記軸に嵌合することにより回転自在に軸支され、
前記第１閉鎖レバーは、揺動中心部である中心孔部を中心にして上方に延伸する、第１閉鎖レバーのパイプ部を前記第２閉鎖レバーのパイプ部に嵌合することにより回転自在に軸支され、
前記両パイプ部により、前記第２閉鎖レバーの揺動時に前記駆動部の前記基板の板厚方向への変位が規制されることを特徴とするフォーカルプレーンシャッタ。
【請求項２】
請求項１において、前記軸には段部が形成され、前記第１閉鎖レバーのパイプ部の先端には、前記段部に当接して前記第１閉鎖レバーの前記軸方向への移動を規制するつば部が形成されていることを特徴とするフォーカルプレーンシャッタ。
【発明の詳細な説明】
【０００１】
【発明の属する技術分野】
本発明はカメラ用シャッタに関し、さらに詳しくは露出制御手段の開放動作を開放羽根、及び閉鎖動作を閉鎖羽根によって行うものに関するものである。
【０００２】
【従来の技術】
開放羽根と閉鎖羽根により露出制御を行うシャッタは、それぞれの開放動作及び閉鎖動作を行うための開放レバー及び閉鎖レバーの駆動力を電磁石により吸着保持し、電磁石の電流をオフすることにより開放動作及び閉鎖動作を行い、開放電磁石と閉鎖電磁石のオフするタイミングを変えることにより露出制御を行っている。
【０００３】
二重遮光形式のフォーカルプレーンシャッタの場合、セット完了状態では閉鎖羽根及び開放羽根の双方の羽根を広げてシャッタ開口を二重に閉じており、レリーズ動作によりまず閉鎖羽根がシャッタ開口から退避し、その後、開放羽根が退避してシャッタ開口を開いて露光し、所定時間経過後に閉鎖羽根を広げてシャッタ開口を閉じて露光終了し、更にリセット動作により開放羽根を広げてシャッタ開口を二重に閉じてセット完了状態に戻るようになっている。
【０００４】
従来の具体的な構成を図２及び図３に示すと、基板１に開口１０が設けられている。基板１上の軸１ａには、セットレバー３０が揺動自在に嵌合しており、セットレバー３０の突部３０ａは、後述の第１閉鎖レバー２５をセット完了状態にセットするためのものであり、突部３０ｂは、後述の開放レバー２３をセット完了状態にセットするためのである。基板１に立設した軸１ｂには、第１閉鎖レバー２５と第２閉鎖レバー２６の中心パイプ２６ｃが回転自在に嵌合している。第１閉鎖レバー２５はピッチ巻きされた駆動ばね２０（図３図示）により時計回り（以下、「右旋」という。）方向に付勢されている。そして、第２閉鎖レバー２６は、引張りばね４１によりアーム４０ａを介して反時計回り（以下、「左旋」という。）方向に付勢されている。
【０００５】
また第１閉鎖レバー２５に、半円柱状のピン２５ｂを突設しており、ピン２５ｂに第２閉鎖レバー２６の側面が当接することにより、第２閉鎖レバー２６を第１閉鎖レバー２５に追従可能にしている。同様に基板１上の軸１ｃ（図２図示）には開放レバー２３の中心軸部２３ａが揺動自在に嵌合しており、不図示の開放ばねにより右旋方向に付勢されている。第２閉鎖レバー２６と開放レバー２３のそれぞれの先端に設けられた駆動ピン２６ｂ、２３ｂは、基板１に設けられた円弧状の透孔１ｄ、１ｅを貫通して基板１の下方に突出し、駆動ピン２６ｂは、閉鎖羽根ユニットのアーム４０ａ，４０ｂのうちの主アーム４０ａに連結してあり、駆動ピン２３ｂは不図示の開放羽根ユニットの主アームに連結してある。主アーム４０ａは、引張りばね４１により左旋方向に付勢されている。また開放羽根ユニットの主アームは、不図示の駆動ばねにより右旋方向に付勢されている。
【０００６】
図２はセット完了状態を示しており、駆動ピン２６ｂは透孔１ｄの下端部に位置して閉鎖羽根を広げることにより開口１０を閉じており、また駆動ピン２３ｂは透孔１ｅの上端部に位置して開放羽根を広げることにより開口１０を閉じている。この状態で、第１閉鎖レバー２５に設けた軟磁性板２５ｃは、基板１に固定されている閉鎖電磁石１１に吸着され、第２閉鎖レバー２６は不図示のロックレバーに係止されることにより、引張りばね４１の付勢力に抗して、駆動ピン２６ｂが透孔１ｄの下端部に位置するように保持されている。また、開放レバー２３に設けた軟磁性板２３ｃは、基板１に固定されている開放電磁石１２に吸着されている。このように、閉鎖羽根及び開放羽根を広げることにより開口１０を二重に閉じる前記セット完了状態に位置保持されている。
【０００７】
また、第１閉鎖レバー２５と第２閉鎖レバー２６とは、それぞれ異なった揺動運動をするので、相互間に摩擦力が影響し合うことは好ましくない。そこで、図３に示されているように、軸１ｂと中心孔部２５ａ及び中心軸部２６ａとの間に中間パイプ２６ｃを設け、中心孔部２５ａと中心軸部２６ａとの間に座金２６ｄを介在させ、相互間に摩擦力が影響し合うことのないように構成している。第１閉鎖レバー２５の中心孔部２５ａの回りの上面に座金２５ｄを配置し、軸１ｂの上端部に設けたラチェット車２４との間に駆動ばね２０を圧縮状態に介装し、第１閉鎖レバー２５を右旋方向に付勢している。第１閉鎖レバー２５の下面には、セットレバー３０の駆動を受ける位置にローラ２５ｅが設けてある。
【０００８】
【発明が解決しようとする課題】
このような従来の構成では、第１閉鎖レバー２５の中心孔部２５ａは、軸方向に板厚分しか中間パイプ２６ｃに嵌合しておらず、また、第２閉鎖レバー２６の中心軸部２６ａでは、軸方向の長さが短く、いずれも中間パイプ２６ｃとの間には若干のクリアランスがあるので、第１閉鎖レバー２５及び第２閉鎖レバー２６の先端はいずれも基板１の板厚方向に変位する。特に、第２閉鎖レバー２６のようにその先端が軸心から遠い程、基板１の板厚方向の変位量が大きくなり、このために駆動ピン２６ｂにより被駆動部材である閉鎖羽根ユニットを正しく駆動するのに好ましくない影響を与えるという問題がある。即ち、撮影時の１コマ毎の駆動におけるバラツキや撮影時のカメラの姿勢の違いによる露光時間の誤差等が発生する。また、摩擦力が両レバーの相互間に影響し合うことを極力避けるために、中間パイプ２６ｃ及び座金２６ｄを介在させているので、部品点数が増加し、組み立ても煩雑になるという問題点があった。
【０００９】
そこで本発明は、余分な部品を必要としないで組み立てを煩雑にすることなく、しかも第２閉鎖レバーの駆動部が基板の板厚方向に変位しない構成とし、被駆動部材である閉鎖羽根ユニットが正しい動作で駆動されるようにしたフォーカルプレーンシャッタを提供する。
【０００１０】
【課題を解決するための手段】
本発明のフォーカルプレーンシャッタは、基板に設けられている開口を開閉する閉鎖羽根を駆動する閉鎖レバーと、開口を開閉する開放羽根を駆動する開放レバーとを備えている。閉鎖レバーは第１閉鎖レバーと第２閉鎖レバーとからなり、第２閉鎖レバーは第１閉鎖レバーとともに同軸に揺動自在に支持され、かつ第１閉鎖レバーに追従可能であり、第２閉鎖レバーの先端部に閉鎖羽根を駆動する駆動部が設けてあり、第２閉鎖レバーは、揺動中心部である中心孔部を中心にして上方に延伸する、第２閉鎖レバーのパイプ部を軸に嵌合することにより回転自在に軸支され、第１閉鎖レバーは、揺動中心部である中心孔部を中心にして上方に延伸する、第１閉鎖レバーのパイプ部を第２閉鎖レバーのパイプ部に嵌合することにより回転自在に軸支され、両パイプ部により、第２閉鎖レバーの揺動時に駆動部の基板の板厚方向への変位が規制されることを特徴としている。この構成により、第２閉鎖レバーの駆動部が基板の板厚方向に変位することが規制され、被駆動部材である閉鎖羽根ユニットを正しい動作で駆動することができ、１コマ毎の駆動におけるバラツキや姿勢差が生じ難い。
【００１１】
また、軸には段部が形成され、第１閉鎖レバーのパイプ部の先端には、段部に当接して第１閉鎖レバーの軸方向への移動を規制するつば部が形成されていることを特徴としている。この構成により、第１閉鎖レバーを駆動するピッチ巻きされた駆動ばねのスラスト方向の付勢力のために、第１閉鎖レバーが第２閉鎖レバーを押さえつけて互いの動きを阻害するのを防ぐように作用する。
【００１２】
【発明の実施の形態】
本発明の実施の一形態について図面を参照して説明する。図１は本発明のフォーカルプレーンシャッタにおける閉鎖レバーの構成を拡大して示している。図２で説明したシャッタ駆動部の閉鎖レバー以外の構成、及びこの駆動部により駆動される不図示の閉鎖羽根や開放羽根等の構成は、本発明においても実質的に同一であるので、同一符号を使用し、説明を省略している。
【００１３】
図１に示すように、本発明の第１閉鎖レバー２１及び第２閉鎖レバー２２は、同心的に回転自在に軸１ｂに支持されている。即ち、第２閉鎖レバー２２の揺動中心部である中心孔部２２ａは軸１ｂに嵌合し、中心孔部２２ａを中心にして上方にパイプ部２２ｃが延伸して軸１ｂに嵌合している。第１閉鎖レバー２１の揺動中心部である中心孔部２１ａはパイプ部２２ｃに嵌合し、中心孔部２１ａを中心にして上方にパイプ部２１ｃが延伸してパイプ部２２ｃに嵌合している。
【００１４】
軸１ｂは段付きの軸であって、軸１ｂの上端部に段部１ｄが形成してある。パイプ部２１ｃの先端部には、この段部１ｄに当接しかつパイプ部２２ｃの先端面に対向するようにつば部２１ｄが形成してある。パイプ部２２ｃの先端面とつば部２１ｄとの間には若干のクリアランスが設けてある。このために第１閉鎖レバー２１は軸方向（特に第２閉鎖レバー２２の方向）への移動が段部１ｄにより規制され、パイプ部２２ｃの先端部にピッチ巻きされた駆動ばね２０からの押圧力を及ぼすことがない。この構成によって、駆動ばね２０からのスラスト方向の力が作用しても、その力が第２閉鎖レバー２２に作用することがなく、第１閉鎖レバー２１が第２閉鎖レバー２２を押さえつけて互いの動きを阻害することが防止できる。また、引張りばね４１の付勢力により第２閉鎖レバー２２が左旋方向に回転する際に第２閉鎖レバー２２にねじりモーメント発生しても、パイプ部２２ｃが軸１ｂと長く嵌合しているので、第２閉鎖レバー２２は板厚方向の変位量が少なく円滑に回転できる。
【００１５】
第１閉鎖レバー２１に半円柱状の位置決めピン２１ｂを突設し、この位置決めピン２１ｂに第２閉鎖レバー２２の側面が当接することにより、第２閉鎖レバー２２を第１閉鎖レバー２１に追従させる構成は、図２の場合と同様である。また、第２閉鎖レバー２２の先端に駆動ピン２２ｂが設けられ、基板１に設けられた円弧状の透孔１ｄを貫通して基板１の下方に突出し、閉鎖羽根ユニットのアーム４０ａ，４０ｂのうちの主アーム４０ａに連結して閉鎖羽根を駆動する構成は、図２の場合と同様である。また、第１閉鎖レバー２１の上面に軟磁性板２１ｅが設けてあり、この軟磁性板２１ｅが基板１に固定されている閉鎖電磁石１１に吸着され、第２閉鎖レバー２２は不図示のロックレバーに係止されることにより、引張りばね４１の付勢力に抗して、駆動ピン２２ｂが透孔１ｄの下端に位置するように保持される構成は、図２の場合と同様である。また、第１閉鎖レバー２１の上面と軸１ｂの上端部に設けたラチェット車２４との間に、パイプ部２１ｃに嵌合する閉鎖ばね２０を圧縮状態に介装し、第１閉鎖レバー２１を右旋方向に付勢する構成は、図３の場合と同様である。また、ローラ２１ｆは、図３のローラ２５ｅと実質的に同一である。
【００１６】
本発明はこのような構成であるので、二重遮光の状態のセット完了状態からレリーズスイッチが押され、ロックレバーによる第２閉鎖レバー２２の係止が外れると、第２閉鎖レバー２２は引張りばね４１のばね力により左旋して位置決めピン２１ｂの中心面に当接して停止する。この間、第２閉鎖レバー２２は軸方向に長いパイプ部２２ｃを中心に回転するので、駆動ピン２２ｂが基板１の板厚方向へ変位を大幅に小さくすることができる。また段部１ｄにより第１閉鎖レバー２１からの押圧力が第２閉鎖レバー２２へ作用することがない。このために第２閉鎖レバー２２は、円滑に正しい姿勢で左旋することができる。露光時間が終了して閉鎖羽根により開口１０を閉じる際には、第１閉鎖レバー２１の軟磁性板２１ｅを吸着している閉鎖電磁石１１の通電が停止される。このために軟磁性板２１ｅに対する吸着力が消失し、第１閉鎖レバー２１は閉鎖ばね２０の付勢力により右旋し、第２閉鎖レバー２２も第１閉鎖レバー２１に追従して右旋する。そこで駆動ピン２２ｂが透孔１ｄの下端部に移動するので、閉鎖羽根は開口１０を閉じた状態になって１コマ分の撮影が終わる。この間も、軸方向に長いパイプ部２１ｃ，２２ｃを中心に回転するので駆動ピン２２ｂの基板１の板厚方向への変位が従来よりも大幅に少ない。したがって閉鎖羽根を正しく駆動することができ、バラツキや露光時間の誤差等を生じることがない。
【００１７】
【発明の効果】
本発明は、第１閉鎖レバー及び第２閉鎖レバーが揺動中心部に設けたパイプ部を中心に揺動するようにしているので、第２閉鎖レバーの駆動部が基板の板厚方向に変位することが少なく、被駆動部材である閉鎖羽根ユニットを正しい動作で駆動することができ、１コマ毎の駆動におけるバラツキや露光時間の誤差等を生じることがない。また、軸に段部を設けて第１閉鎖レバーの軸方向の移動を規制するようにしているので、第１閉鎖レバーを駆動する駆動ばねのスラスト方向の付勢力のために、第１閉鎖レバーが第２閉鎖レバーを押さえつけて互いの動きを阻害するのを防ぐことができる。また、部品点数が増加せず、組み立ての煩雑さを生じない。
【図面の簡単な説明】
【図１】本発明のフォーカルプレーンシャッタの要部である閉鎖レバーの構成を示す拡大断面図である。
【図２】従来のシャッタ駆動機構のセット完了状態を示す正面図である。
【図３】従来の閉鎖レバーの構成を示す拡大断面図である。
【符号の説明】
１        基板
１ｂ      軸
１ｄ      段部
１０      開口
２１      第１閉鎖レバー
２１ｃ    パイプ部
２１ｄ    つば部
２２      第２閉鎖レバー
２２ｂ    第２閉鎖レバーの駆動部
２２ｃ    パイプ部
【図１】
0004401035.tif 000002
【図２】
0004401035.tif 000003
【図３】
0004401035.tif 000004